(57)【要約】病院、企業、および各種特設会場等において、視認性が高く且つ設置が容易な誘導経路表示システムを実現すべく、本誘導経路表示システムは、施設を訪れた来訪者が訪問先を入力するための行き先入力装置と、来訪者を誘導する誘導表示装置と、施設の所定の箇所に設置された異常感知装置と、誘導表示装置の発光を制御する制御装置を有する。誘導表示装置は、整列して配置された複数の発光素子を備えて、施設所定の箇所に設置される。複数の発光素子の点灯箇所が制御装置の制御に基づき変化して、視覚的に光の流れを生じることで、来訪者に誘導表示をする。制御装置は、通常時においては、所定の誘導表示装置に誘導表示を行って、来訪者にその行き先を表示することができ、非常時においては、通常時の誘導表示が行われていてもこれを中止し、異常を感知した異常感知装置等の設置箇所に基づいて避難経路を決定し、誘導表示装置に避難経路を表示する。
2012073525.tif 000002
【特許請求の範囲】
【請求項１】
施設を訪れた来訪者が訪問先を入力するための行き先入力装置と、
前記施設の所定の箇所に設置された、前記来訪者を誘導するための誘導表示装置、および異常を感知するための異常感知装置と、
制御装置とを有する誘導経路表示システムであって、
前記誘導表示装置は、複数の発光素子を備えており、前記複数の発光素子の点灯箇所が前記制御装置の制御に基づいて変化して、視覚的に光の流れを生じることで、前記来訪者に誘導表示をすることができ、
前記制御装置は、前記異常感知装置が異常を感知しない通常時においては、前記行き先入力装置に入力された訪問先に応じて、所定の誘導表示装置に誘導表示をおこなって、来訪者にその行き先を表示することができ、前記異常感知装置が異常を感知した非常時においては、前記通常時における誘導表示が行われているときであってもこれを中止するとともに、少なくとも、異常を感知した前記異常感知装置の設置箇所、前記誘導表示装置の設置箇所、および避難出口の設置箇所に基づいて避難経路を決定し、前記誘導表示装置に避難経路を表示して、避難すべき方向を来訪者に対し表示することができることを特徴とする誘導経路表示システム。
【請求項２】
前記誘導表示装置が備えた前記複数の発光素子は、線分上に配置されて、前記線分の一端側から他端側へと点灯箇所が移動することで、前記視覚的な光の流れを生じることを特徴とする請求項１に記載の誘導経路表示システム。
【請求項３】
前記誘導表示装置が備えた前記複数の発光素子は、ＬＥＤであり、これらＬＥＤがテープ状に形成された可撓性を有するプリント基板の表面に実装されたものであることを特徴とする請求項１に記載の誘導経路表示システム。
【請求項４】
前記発光素子が複数の原色ＬＥＤを有しており、前記制御装置は、前記複数の原色ＬＥＤの発光を制御することで、前記発光素子の発光色を選択することができることを特徴とする請求項１に記載の誘導経路表示システム。
【請求項５】
前記可撓性を有するプリント基板の裏面が粘着性を有していることを特徴とする請求項３に記載の誘導経路表示システム。
【請求項６】
前記異常感知装置が発煙、高温、ガス漏れ、振動のいずれか一つまたは複数の異常を感知することができる請求項１に記載の誘導経路表示システム。
【発明の詳細な説明】
【技術分野】
【０００１】
本発明は、病院、企業、官公庁、劇場等の各種施設または特設会場等において、来訪者を施設内の所望の箇所に誘導（案内）することができ、かつ火災等の非常事態が発生したときには、来訪者を適切な避難経路または迂回経路等に誘導することができる誘導経路表示システムに関するものである。
【背景技術】
【０００２】
病院、ホテル、官公庁、企業、劇場等の各種施設または特設会場では、業務等を円滑に遂行するため、来訪者をその目的に沿って誘導する必要がある。またこれら施設では、火災発生等の非常事態が発生したとき（以下、「非常時」と表記することがある）には、来訪者（職員等を含む）を適切な避難経路で迅速に避難させることが要求される。【０００３】
こうした非常時における避難誘導を行う病院およびホテル等における防災誘導表示システムとして、火災報知器が火災を感知して防災センターへ感知信号を送出すると、火災発生位置等のデータに基づいて（火災発生位置と非常口等の相対的位置関係を判断して）適切な避難誘導データを作成して、避難誘導経路に設けられている誘導表示盤に避難方向を表示する防災誘導表示システムが提案されている（特許文献１）。【０００４】
また迂回路、案内路、避難路等を表示する誘導灯としては、道路の側線、工事現場の交通誘導、事故現場の交通誘導、野外コンサート会場や特設会場の出入口案内、劇場の非常口誘導等に使用される誘導灯として、発光ダイオード（以下、「ＬＥＤ」と表記することがある）を光源としたものが提案されている（特許文献２、および３）。さらに異常感知装置からの信号に基づいて、制御装置が避難経路をＥＬ（エレクトロ・ルミネッセンス）シートで表示する避難誘導標識が提案されている（特許文献４）。
【先行技術文献】
【特許文献】
【０００５】
【特許文献１】特開平０８−２８７３７０号公報
【特許文献２】特開平１１−１７５８７９号公報
【特許文献３】特開平１１−２８２３８８号公報
【特許文献４】特開平１０−１０５０９５号公報
【発明の概要】
【発明が解決しようとする課題】
【０００６】
しかしながら、特許文献１が開示した（火災報知器、防災センターに設置された各種装置、および誘導表示盤等を含む）防災誘導表示システムは、火災等の非常時に避難誘導を行ってその存在が認識されることはあっても、通常時には誘導を行わないために、その存在が忘れられがちであって、その導入の重要性が認識されにくいことを否めない。また特許文献１は、避難経路を表示する誘導灯の視認性を向上させるための、あるいは誘導灯の設置を容易にするとともに設置費用を低減するための、新たな構成または機能等を開示したものとはいえない。【０００７】
特許文献２は、誘導灯である誘導表示マットについて、その施工を容易にするための構造等を開示したものであるが、異常等を感知して適切な避難経路を誘導灯で表示するための技術を開示したものではない。【０００８】
特許文献３は、発光効率の向上、光源の長寿命化およびコストの低減化等を図るものであって、異常等を感知して、適切な避難経路を誘導灯で表示するための技術を開示したものではない。【０００９】
特許文献４は、災害時のための自発光式避難誘導標識を開示したものだが、センサーで異常等を感知し、これに応じた誘導灯の点灯制御を行う技術を開示したものではない。また、ＥＬシートの輝度は電球やＬＥＤの輝度より低いため、たとえば火災時の煙が立ち込める状況等では、物理的に視認しづらいこと、またパニックに陥る等した人たちには、心理的にも視認しづらいことを否めない。【００１０】
そこで、本発明は、上記各問題点を解決することを目的として、たとえば病院、企業、官公庁、劇場、ホテル、および各種イベントを開催する特設会場等（以下、「施設」と表記することがある）において、非常時はもとより通常時においても使用することができて、誘導表示システムの稼働率が向上する誘導経路表示システムの実現を目的とする。さらに本発明は、その導入のためのインセンティブを高めることができ、好ましくは、視認性が高く且つ設置が容易な誘導灯を備えた誘導経路表示システムの実現を目的とする。
【課題を解決するための手段】
【００１１】
上記課題を解決するために、本発明にかかる誘導経路表示システムは、施設を訪れた来訪者がその訪問先（たとえば病院であれば内科等の診療室であり、劇場であれば予約席等である）情報を入力するための行き先入力装置と、施設の所定の箇所に設置されて来訪者を誘導するための表示を行う誘導表示装置と、施設の所定の箇所に設置されて当該設置箇所近傍の異常を感知するための異常感知装置と、誘導表示装置を制御する制御装置とを具備して構成される。【００１２】
誘導表示装置は、整列した複数の発光素子を備えるとともに、施設のたとえば通路の壁面、床面、天井面等に設置される。各発光素子は、制御装置によって順次点滅して視覚的な光の流れ（ストリーミング・ライト）を生じるように、すなわち発光点が誘導表示装置の一の部分から他の部分へと変化するように制御される。このようにストリーミング・ライト表示を行えば一つの表示器により、例えば右方向と左方向のような可逆方向表示が可能となる。【００１３】
制御装置は、異常感知装置が異常を感知しない通常時においては、行き先入力装置に入力された訪問先に応じて、所定の誘導表示装置にストリーミング・ライト表示をせしめて、来訪者にその行き先を表示し、異常感知装置が異常を感知した非常時においては、来訪者にその行き先表示が行われているときであってもこれを中止し、異常を感知した異常感知装置、各誘導表示装置、避難出口の設置箇所、および通路情報に基づいて避難経路を決定して、各誘導表示装置にストリーミング・ライト表示を行わせて、来訪者に対し避難すべき方向を表示する。【００１４】
このようにして、当該誘導経路表示システムは、ストリーミング・ライト表示によって、心理的（視覚には、動きのある対象物等を認識しやすい特性がある）且つ物理的（避難方向が示されて明確である等）な視認性を向上させることで、通常時には、来訪者に視認性の高い行き先表示を行うことができるとともに、非常時には、パニックに陥る等した来訪者に適切且つ迅速に避難経路を認識させることができる。【００１５】
ここで、誘導表示装置が備えた複数の発光素子が、線分（２点間を結ぶ直線または任意形状の曲線）上に配置されていて、線分の一端側から他端側へと点灯箇所が移動することで、方向に応じた動的要素を加え、ストリーミング・ライトを生じさせて、視認性を高めることができる。【００１６】
また、上記複数の発光素子がＬＥＤであり、これらＬＥＤがテープ状に形成された可撓性を有するプリント基板（フレキシブル・プリント基板）の表面に実装されていれば、施設の壁面等への誘導表示装置の取り付け等が容易になる（例えば通路のコーナーの壁面や曲面で形成された壁面等にも容易に取り付けることができる。）。ここで、高輝度ＬＥＤを使用すれば、火災の煙が立ち込める状況下等であっても物理的な視認性を向上させることができる。また表面実装型（ＳＭＤ（surface mounted device）型）ＬＥＤであれば、プリント基板に容易に実装できるから、誘導表示装置のコストを低減することができる。【００１７】
ところで、発光素子であるＬＥＤとして、複数の原色を発することができるＬＥＤを使用すれば、白色はもとより人間が識別することができる殆どの色を発光することができるから、通常時の誘導における発光色と、非常時の誘導における発光色とを選択することができて、たとえば非常時には日常用いない原色赤色表示をするなど、場面に応じた色の使い分けをすることで、視認性の高い誘導経路表示システムを実現することができる。【００１８】
フレキシブル・プリント基板の裏面が粘着性を有していれば、フレキシブル・プリント基板（誘導表示装置）を施設の壁面等へ容易に取り付け等することができる。こうした粘着性は、たとえば、フレキシブル・プリント基板の裏面に両面粘着テープを貼り付ける等して実現することができる。【００１９】
本発明にかかる誘導経路表示システムは、煙感知機、高温感知機、ガス感知機、振動感知機のいずれか一つまたは複数の異常感知装置を備えることで、発煙、火災、ガス漏れ、または地震の何れかが発生したときを非常時と判断して、来訪者を適切且つ迅速に避難させることができる。
【発明の効果】
【００２０】
上述したように、本発明にかかる誘導経路表示システムは、非常時はもとより通常時においても誘導に使用することができるから、施設における導入の重要性が認識されやすく、また非常時のみに避難経路の誘導を行う誘導経路表示システムよりも、設置費用に対する効果を高めることができる。また、本発明にかかる誘導経路表示システムは、誘導表示装置でストリーミング・ライト表示をすることができるから、視認性の高い誘導表示をすることができる。また、非常時の状況によっては避難誘導方向が異なるため、通常の矢印表示のような方向指示方法では矢印の方向が異なる表示器を２重に設置しなければならないところ、本発明に係るストリーミング・ライト表示によれば、一つの表示器のみを設置することにより異なる方向指示が可能となり、設置の容易さおよび費用低減に大きな効果を発揮する。【００２１】
さらに、テープ状に形成されたフレキシブル・プリント基板の表面にＬＥＤを実装したものを誘導表示装置とすることで、誘導表示装置の設置が容易になって、誘導経路表示システムの設置工事に係る工期の短縮、設置費用の低減が可能となる。もちろん誘導表示装置の移設も容易になって、施設におけるレイアウト変更に柔軟に対応することができる。また、フレキシブル・プリント基板の裏面に粘着性をもたせることで、誘導経路表示システムの設置がさらに容易になる。
【図面の簡単な説明】
【００２２】
【図１】本発明にかかる誘導経路表示システムの一実施例における概略構成を説明するための図である。
【図２】図１に示した誘導経路表示システムを病院に設置したときを例に避難誘導を説明するための図である。
【図３】図１に示した誘導経路表示システムが有する行き先入力装置の概略構成を示す図である。
【図４】図１に示した誘導経路表示システムが有する誘導表示装置の概略構成を示す図である。
【図５】図１に示した誘導経路表示システムが有する制御装置が、通常時において実行する誘導表示のフローチャートである。
【図６】図１に示した誘導経路表示システムが有する制御装置が、非常時において実行する避難経路の誘導表示のフローチャートである。
【図７】本発明にかかる誘導経路表示システムの他の実施例（オフィス・ビルのフロアーにおける誘導経路表示システム）について説明するための図である。
【発明を実施するための形態】
【００２３】
以下、図面を参照して本発明にかかる誘導経路表示システムについて説明する。
【実施例１】
【００２４】
誘導経路表示システム１は、病院における患者の誘導および避難誘導を行う誘導経路表示システムの例である。【００２５】
（誘導経路表示システム）
図１は、誘導経路表示システム１の概略構成を説明するための図であり、図２は、誘導経路表示システム１が避難誘導を実行するときの模様の一例を説明するための図である。【００２６】
誘導経路表示システム１は、病院の受付等に設置された行き先入力装置２５−ｎ（図３）と、病院内の所定の複数の箇所に設置された異常感知装置３０−ｎ（ｎ＝１、２、・・・６）と、患者（来訪者といえる）に対し、その診療科への院内経路を表示する誘導表示装置１０−ｎ（ｎ＝１、２、・・・６）と、制御装置２０とを備えている。【００２７】
制御装置２０は、行き先入力装置２５−ｎ、異常感知装置３０−ｎ、および誘導表示装置１０−ｎとの間で所定の信号を送信および受信するための通信回線で接続されている。これら通信回線は、有線回線、または無線回線で形成されている。通信回線が有線回線の場合には、火災時における通信回線の維持のため、耐熱電線の回線とすることが望ましい。【００２８】
（行き先入力装置）
行き先入力装置２５−ｎ（図３）は、内科、外科、小児科等の診療科に対応した行き先ボタン２６−１〜２６−ｎを有している。患者が、希望する行き先ボタン２６−ｎを押したときには、行き先入力装置２５−ｎは、行き先ボタン２６−ｎに対応した診療科の行き先信号を生成して制御装置２０へ送信する。行き先入力装置２５−ｎは、それぞれ独自の識別番号を有しており、この識別番号も制御装置２０へ送信する。【００２９】
（誘導表示装置）
図４に示すように、誘導表示装置１０−ｎは、プリント基板（例えばテープ状のフレキシブル・プリント基板）１１ａの表面に、発光素子１１ｂ−ｎ（例えばＳＭＤ型ＬＥＤ）を長手方向に且つ略等間隔に複数個実装して形成されている。発光素子１１ｂ−ｎは、制御装置２０から誘導表示装置１０−ｎに対し送信された制御信号に基づいて点灯する。【００３０】
プリント基板１１ａの端部に形成されたプリント配線パターン１１ｃは、外部との電気的接続をするためのコネクター部である（たとえば有線通信回線に接続するため、または無線通信回線の端末機器（図示せず）に接続するために使用される。）。誘導表示装置１０−ｎは、透明樹脂１２によってコーティングが施されて防水性を有している。コーティングに替えて、あるいはコーティングに加えて、透明カバーで誘導表示装置１０−ｎを覆ってもよい。【００３１】
ところで、発光素子１１ｂ−ｎは、複数の原色を発する発光素子を有するものとすることができる。たとえば、発光素子１１ｂ−ｎが赤色ＬＥＤチップ、緑色ＬＥＤチップ、および青色ＬＥＤチップを有している場合には、各原色のＬＥＤの発光を制御することで（各原色のＬＥＤごとに、点灯、消灯、駆動電流、および駆動時間等を制御することで）、白色はもとより人間が識別することができる殆どの色を発光することができる。このような発光素子１１ｂ−ｎを使用すれば、通常時の誘導における発光色と、非常時の誘導における発光色とを選択的に採用することもできるから、誘導表示装置１０−ｎによる誘導表示発光の視認性をさらに高めることができる。【００３２】
（異常感知装置）
異常感知装置３０−ｎ（図１）は、たとえば煙、高温、炎、ガス、振動等の異常を感知するセンサーであり、火災等の異常を感知した場合には、速やかに所定の異常信号を制御装置２０に対して送信することができる。異常感知装置３０−ｎは、それぞれ独自の識別番号を有しており、この識別番号も制御装置２０へ送信する。【００３３】
（制御装置）
制御装置２０（図１）は、行き先信号受信部２１、異常信号受信部２２、中央制御部２３、および送信部２４を有している。ここで、行き先信号受信部２１は、行き先入力装置２５−ｎと通信回線で接続されて行き先信号を受信し、また、異常信号受信部２２は、異常感知装置３０−ｎと通信回線で接続されて異常信号を受信する。【００３４】
かかる制御装置２０は、行き先入力装置２５−ｎからの行き先信号に基づいて、患者に対する診療科への誘導表示を誘導表示装置１０−ｎに指示し、また異常感知装置３０−ｎからの異常信号に基づいて、避難経路への誘導表示を誘導表示装置１０−ｎに指示する。【００３５】
制御装置２０は、行き先入力装置２５−ｎ、誘導表示装置１０−ｎ、異常感知装置３０−ｎ、各診療科の診療室、および非常口等の配置箇所に関する位置データを蓄積している。同様に制御装置２０は、病院内の通路に関する通路情報を蓄積しており、この通路情報は前記位置データと関連づけられている。これらデータおよび関連付けのデータ等は、たとえば記憶装置（図示せず）にデータベースとして蓄積されている。【００３６】
中央制御部２３は、行き先入力装置２５−ｎと診療室の配置箇所との間の最適な経路を判断するアルゴリズムをコンピュータ等（図示しない）に実現させる機能を有しており、この判断結果に基づいて、誘導表示装置１０−ｎに対し、ストリーミング・ライト表示のための制御を行う。このとき、中央制御部２３は、異常感知装置３０−ｎおよび非常口の配置箇所等のデータに基づいて、異常感知装置３０−ｎから非常口への最適な避難経路（たとえば最短距離の避難経路、または通路幅の広い避難経路等）を判断する。こうした判断等は、中央制御部２３が有するコンピュータとソフトウェアによって実行されてもよいし、ハードウェア回路で実行されてもよい。【００３７】
なお、行き先入力装置２５−ｎ、誘導表示装置１０−ｎ、異常感知装置３０−ｎおよび制御装置２０−ｎのいずれか若しくはすべてを無停電電源装置で駆動すれば、通常時または非常時において、商用電源が停電した場合であっても、誘導経路表示システム１の運用を維持することができる。【００３８】
（誘導表示）
制御装置２０は、患者を診療科へと誘導するため、行き先入力装置２５−ｎからの行き先信号の有無を判断し、誘導表示装置１０−ｎに対し、誘導表示をおこなうための以下のステップ６１−１〜６１−ｎ、・・・ステップ６５を実行する（図５、なおこれらステップを実行する一連のステップをステップ６０と表記する。）。【００３９】
（ステップ６１−１〜６１−ｎ）
ステップ６１−１〜６１−ｎは、行き先入力装置２５−ｎからの行き先信号の有無を判断するステップである。ステップ６１−１において、制御装置２０は、行き先入力装置２５−１からの行き先信号を受信した場合（Ｙ）には、ステップ６２−１（押された行き先ボタンを識別するためのステップ）を実行し、行き先入力装置２５−１からの行き先信号を受信しなかった場合（Ｎ）には、ステップ６１−２を実行する。以下、同様に、制御装置２０は、ステップ６１−２〜６１−ｎを実行し、ステップ６１−ｎで行き先入力装置２５−ｎからの行き先信号を受信しなかった場合（Ｎ）には、ステップ６１−１に戻ってこれを実行する。【００４０】
（ステップ６２−１〜６２−ｎ）
ステップ６２−１〜６２−ｎは、押された行き先ボタンを識別するステップである。ステップ６２−１において、制御装置２０は、押された行き先ボタン（行き先入力装置２５−１の行き先ボタン２６−１〜２６−ｎの何れが押されたか）を識別し、これを記憶したのちステップ６３−１を実行する。ステップ６２−２〜６２−ｎも同様である（なお、ステップ６２−ｎにおいて、押された行き先ボタンを識別し、これを記憶したのちには必要に応じてステップ６１−１に戻ってもよい。）。【００４１】
制御装置２０は、ステップ６１−１〜６１−ｎ、およびステップ６２−１〜６２−ｎを実行しつつ以下のステップも実行する。【００４２】
（ステップ６３−１〜６３−ｎ）
ステップ６３−１〜６３−ｎは、押された行き先ボタンが複数か否かを判断するステップである。ステップ６３−１において、制御装置２０は、行き先入力装置２５−１以外からの行き先信号を受信したか否かを判断し、押された行き先ボタンが複数でない場合（Ｎ）には、ステップ６４−１を実行し、押された行き先ボタンが複数である場合（Ｙ）には、ステップ６５を実行する。ステップ６３−２〜６３−ｎも同様である。【００４３】
（ステップ６４−１〜６４−ｎ）
ステップ６４−１〜６４−ｎは、制御装置２０が、押された行き先ボタンに対応して、誘導表示装置１０−ｎにストリーミング・ライト表示を行うステップである。ステップ６４−１では、制御装置２０は、行き先入力装置２５−１で押された行き先ボタンが対応する診療科へ患者を誘導するため、行き先入力装置２５−１と診療科との間に配置された誘導表示装置（誘導表示装置１０−１〜１０−ｎの何れか）にストリーミング・ライト表示を行う。ステップ６４−２〜６４−ｎも同様である。【００４４】
たとえば患者が、行き先入力装置２５−１から、内科に対応する行き先ボタン２６−１を押したときには、行き先入力装置２５−１は、内科に対応した行き先信号を生成して制御装置２０へ送信する。上記行き先信号（内科）を受信した制御装置２０は、行き先入力装置２５−１の配置箇所を判断したのち、そこから内科の診療室への最適な経路を判断して、行き先入力装置２５−１が設置された地点から内科の診療室までの経路に配置された誘導表示装置１０−ｎにストリーミング・ライト表示を行う。【００４５】
ここで、誘導表示装置１０−ｎが行うストリーミング・ライト表示は、誘導表示装置１０−ｎを見た患者が向かうべき方向を指示するように行われる。たとえば、患者から見て、行き先である診療室が誘導表示装置１０−ｎの右方向にある場合には、誘導表示装置１０−ｎは、発光素子１１ｂ−ｎの点灯箇所を、患者から見た左側（たとえば発光素子１１ｂ−１〜１１ｂ−３の点灯）から始めて、徐々に右側（たとえば発光素子１１ｂ−３〜１１ｂ−６の点灯）へと変えていく（点灯箇所が左側から右側へと流れるように変化していく。）。このようにストリーミング・ライト表示は、患者が向かうべき診療室の方向を文字情報で表示するものではなく、発光素子の点灯箇所の流れとして表示するものだから、患者は、その方向を視覚的かつ直感的に認識することができる。【００４６】
もし、文字情報を表示器上にスクロール表示しようとすると、たとえば（右側から左側への）横書きの文字情報では、文頭を最初に表示するために左側から右側へと文字をスクロールさせなければならない。ストリーミング・ライト表示では、こうした制約は生じない。また文字表示では、外国語による表示が必要になる場合も想定されるが、ストリーミング・ライト表示は、言語上の問題を生じない。【００４７】
また、誘導表示装置１０−ｎにおいて、プリント基板１１ａとしてフレキシブル・プリント基板を使用した場合には、発光素子１１ｂ−ｎを通路の壁面等に直線的に配置することはもとより、曲線状に配置することもできる。たとえば、階段を昇るように指示する箇所に配置される誘導表示装置１０−ｎでは、その殆どの部分を水平に配置して、階段側に位置するその一端側を若干上向きに配置することで、階段を昇ることを促すことができる。すなわち、フレキシブル・プリント基板を使用した誘導表示装置１０−ｎは、その配置箇所における誘導表示に柔軟に対応することができる（配置箇所の変更（たとえば階段を下りることを促す誘導表示）にも柔軟に対応することができる。）。さらに、フレキシブル・プリント基板の裏面に粘着性をもたせることで、誘導表示装置１０−ｎの設置が容易になる。【００４８】
なお、ストリーミング・ライト表示は、発光素子１１ｂ−ｎの点灯箇所が制御されて光の流れとして視覚的に認識されるものであれば、上記形態に限定されない。すなわち、誘導表示装置１０−ｎは、プリント基板１１ａの表面に発光素子１１ｂ−ｎを一列に実装させた（図４に示した）形態に限定されることはなく、複数線分であっても、曲線的であっても、或いは一定の形状を画すように配置されて実装されてもよく、さらには、これらが平面に限らずに曲面的に実装されるようなものであってもよい。つまり、誘導表示装置としては、視認者に一定方向への避難を促し、或いは誘導を与えることを可能とするに採りうる様々な形状・構造・態様を採用することができる。【００４９】
（ステップ６５）
スップ６５では、制御装置２０は、最初に行き先ボタン２５−ｎが押された行き先入力装置２５−ｎを識別し、それ以外の行き先入力装置に対し、他者誘導中の表示（ｂｕｓｙ）２７を点灯させる制御を行う。【００５０】
たとえば、最初の患者が、行き先入力装置２５−１から、内科の行き先ボタン２６−１を押し、次に訪れた患者が、行き先入力装置２５−２から、外科の行き先ボタン２６−２を押した場合には、制御装置２０は、外科を受診する患者に対し、他の患者を誘導中であることを知らせるため、行き先入力装置２５−２に、他者誘導中の表示２７を点灯させる制御を実行する。制御装置２０は、内科受診の患者の誘導が終了すると、行き先入力装置２５−２の他者誘導中の表示２７を消灯するとともに、行き先入力装置２５−２の外科への行き先ボタン２６−２を点灯させて、外科受診の患者の誘導を行う。【００５１】
（避難経路への誘導表示）
誘導経路表示システム１が患者を、その診療科へ誘導しているときに、いずれかの異常感知装置３０−ｎから、異常信号が制御装置２０に送信された場合には、制御装置２０は、直ちに行き先誘導を中止して、避難経路誘導動作を開始する。たとえば、すべての行き先入力装置の全ボタンと表示器を赤色点滅させて非常時であることを知らせるとともに（あるいは非常事態発生を知らせる表示器を設けておき、これを点滅させてもよい）、避難経路誘導動作を開始する。【００５２】
たとえば、図２に示すように、一の非常口４０ａと他の非常口４０ｂとの間の通路の壁面において、誘導表示装置１０−１〜１０−６が一の非常口４０ａから他の非常口４０ｂに向けて順番に配置されており、また異常感知装置３０−１〜３０−６が誘導表示装置１０−１〜１０−６のほぼ上側の壁面（または天井）に配置されているとする。この場合において、異常感知装置３０−３（誘導表示装置１０−３の近傍且つ上方に配置されている）の近くで発火等による煙が発生したときには、以下のように避難誘導の表示が行われる。【００５３】
異常感知装置３０−３は、発煙を感知して異常信号を制御装置２０に発信する。この異常信号を受信した制御装置２０は、誘導表示装置１０−１、１０−２および１０−３に対しては、図２中、右から左へのストリーミング・ライト表示を行って、発煙箇所と一の非常口４０ａとの間にいる患者および職員等に対し、一の非常口の存在する方向（図２中、左側）を指示する（直近にある一の非常口４０ａへと患者等を誘導する）。【００５４】
また、制御装置２０は、誘導表示装置１０−４、１０−５、および１０−６に対しては、図２中、左から右へのストリーミング・ライト表示を行って、発煙箇所と他の非常口４０ｂとの間にいる患者および職員等に対し、他の非常口の存在する方向（図２中、右側）を指示する。【００５５】
また、ストリーミング・ライト表示では、通常時と非常時とで表示色を変えることもできる。たとえば、通常時においては、一般的な照明で用いられる白色（たとえば色温度約６０００度）、またはいわゆる電球色（たとえば色温度約３２００度）で表示する。非常時においては、橙色、赤色などの彩度の高い発光色で表示して、非常時であることを患者等に直感的に知らしめることができる。【００５６】
次に、制御装置２０が異常信号を感知したときに実行する制御の例をフローチャート（図６）に基づいて説明する。【００５７】
（ステップ７１）
制御装置２０は、ステップ６０の実行に先立って、異常感知装置３０−ｎからの異常信号の有無を検知する。異常信号を検知しない（Ｎ）ときには、ステップ６０を実行しつつ、異常感知装置３０−ｎからの異常信号の有無も検知する（たとえばステップ６０とステップ７１を交互に実行する）。制御装置２０が異常信号を検知する（Ｙ）と、制御装置２０は、ステップ６０の実行をストップして、ステップ７２−１を実行する。【００５８】
（ステップ７２−１）
制御装置２０は、異常信号に含まれた識別番号が異常感知装置３０−１のものか否かを判断し、この判断がイエス（Ｙ）であるときには、ステップ７３−１（異常感知装置３０−１の近傍で異常が発生したとして、最適な避難経路を決定するとともに避難経路誘導表示）を実行し、判断がノー（Ｎ）であるときには、ステップ７２−２を実行する。【００５９】
以下同様に、制御装置２０はステップ７２−ｍまで実行する（ｍ＝ｎ―１）。【００６０】
（ステップ７２−ｍ）
制御装置２０は、異常信号に含まれた識別番号が異常感知装置３０−ｍのものか否かを判断し、この判断がイエス（Ｙ）であるときには、ステップ７３−ｍ（異常感知装置３０−ｍの異常信号に基づく避難経路の決定と誘導表示）を実行し、判断がノー（Ｎ）であるときには、異常信号を送信したのは異常感知装置３０−ｎ以外にないと判断して、ステップ７３−ｎ（異常感知装置３０−ｎの異常信号に基づく避難経路の決定と誘導表示）を実行する。【００６１】
なお避難経路の誘導表示の停止は、たとえば権限を有する職員等が、発生した異常等の終息を確認する等の所定の手続を経て行われてもよい。
【実施例２】
【００６２】
図７は、オフィス・ビルのフロアー（略長方形状）における誘導経路表示システムの例を説明するための図である。該オフィス・ビルでは、各フロアーとも、直交座標系を形成するグリッドによって位置が規定されている。この直交座標系の原点はフロアーの左上端部であり、縦方向には略等間隔でＸ１、Ｘ２、・・・、Ｘ８のグリッドが規定され、また横方向には略等間隔でＹ１、Ｙ２、・・・、Ｙ８のグリッドが規定されている。【００６３】
略（Ｘ３、Ｙ２）、（Ｘ３、Ｙ７）、（Ｘ６、Ｙ２）、および（Ｘ６、Ｙ７）で画された、フロアーの中央領域にはエレベーター・ホールがあり、ここにはエレベーターＥＶ１〜３が配置されている。そして、略（Ｙ１、Ｙ２）で画された領域には、図７中、縦方向の通路が形成されており、この通路はエレベーター・ホールの一端部に通じている。この通路の両端には非常口が設けられている（図７中、上側には非常口４１が、下側には非常口４２が設けられている。）。【００６４】
また、略（Ｙ４、Ｙ５）で画された領域には、エレベーター・ホールの中央部に通じる通路が形成されている。この通路は、図７中、エレベーター・ホールの上側および下側に通じている。この通路の両端にも非常口が設けられている（図７中、上側には非常口４３が、下側には非常口４４が設けられている。）。【００６５】
また、略（Ｙ７、Ｙ８）で画された領域にも、図７中、縦方向の通路が形成されており、この通路はエレベーター・ホールの他端部に通じている。この通路の両端にも非常口が設けられている（図７中、上側には非常口４５が、下側には非常口４６が設けられている。）。【００６６】
なお、何れの非常口も常時点灯する表示灯を有しており、非常口４１〜４６の外側には、図示しない避難階段等が設置されている。また、上記通路を有するフロアーでは、オフィス・スペース５１〜５６が形成されている。オフィス・スペース５１〜５６は図示しない出入口、窓等を有している。【００６７】
各通路には、たとえば一方側の壁面に誘導表示装置が配置されている。エレベーター・ホールにおいては、エレベーター・ホールの壁面とエレベーターＥＶ１〜ＥＶ３の間が実質的な通路となっており、壁面側に誘導表示装置が配置されている。【００６８】
グリッドＹ１の近傍に沿った壁面には、グリッドＸ１からＸ８の方向へと、誘導表示装置１０−１〜１０−４が配置され、グリッドＹ８の近傍に沿った壁面には、グリッドＸ１からＸ８の方向へと、誘導表示装置１０−１０〜１０−１３が配置されている。グリッドＹ４の近傍に沿った壁面には、略グリッドＸ１からＸ３にかけて誘導表示装置１０−７が、また、略グリッドＸ６からＸ８にかけて誘導表示装置１０−１６が配置されている。グリッドＸ３の近傍に沿ったエレベーター・ホールの壁面には、グリッドＹ２からＹ４の方向にかけて、誘導表示装置１０−５および１０−６が配置され、グリッドＹ５からＹ７の方向にかけて、誘導表示装置１０−８よび１０−９が配置されている。グリッドＸ６の近傍に沿ったエレベーター・ホールの壁面には、グリッドＹ２からＹ４の方向にかけて、誘導表示装置１０−１４および１０−１５が配置され、グリッドＹ５からＹ７の方向にかけて、誘導表示装置１０−１７よび１０−１８が配置されている。【００６９】
エレベーター・ホールの壁面には、行き先入力装置２５−１等が配置されている（図示せず）。また制御装置２０（図示せず）は、当該フロアー、または当該オフィス・ビルの管理室等（図示せず）に配置されている。ここで、制御装置２０は、来訪者等をオフィス・スペース５１〜５６へ誘導することができる。【００７０】
ところで、各グリッドが交叉する位置には異常感知装置３０−ｎが配置されている。たとえばグリッドＸ１とグリッドＹ１の交叉位置には、異常感知装置３０−１が天井面または天井裏に設置されて（図示せず）、制御装置２０と無線回線で接続されている。ここで、グリッドＸ５とグリッドＹ１の交叉位置近傍で火災が発生した場合には、この交叉位置の天井等に配置された異常感知装置３０−ｍ（１＜ｍ＜ｎ）が高温または発煙を感知して異常信号を制御装置２０に送信する。【００７１】
この異常信号が制御装置２０の異常信号受信部２２で受信されると、中央制御部２３は、異常発生箇所がグリッドＸ５とグリッドＹ１の交叉位置近傍であると判断し、さらにこの異常発生箇所から非常口４１〜４６に向かって避難するための経路を判断する。避難経路を判断した制御装置２０は、誘導表示装置１０−ｎ（ここではｎ＝１、２、・・・１８）にストリーミング・ライト表示を行って、非常口４１〜４６に向けた避難誘導を実行する。【００７２】
制御装置２０は、たとえばグリッドＸ５−Ｙ１から遠ざかる方向の直近の非常口４１へと誘導するため、誘導表示装置１０−１および１０−２を避難者から見て右方（図７中、下側から上側）にストリーミング・ライト表示させる一方、誘導表示装置１０−３および１０−４については、グリッドＸ５−Ｙ１から非常口４２へとの誘導するため、避難者から見て左方（図７中、上側から下側）にストリーミング・ライト表示させる。【００７３】
また、制御装置２０は、他の非常口への誘導も実行することができる。たとえばエレベーター・ホールにいる避難者に対しては、非常口等の位置データ、および通路情報等のデータベースに基づいて、非常口４３、４４、４５、および４６への誘導を行うために避難経路を判断して、誘導表示装置１０−５〜１０−１８にストリーミング・ライト表示を行って、避難経路を表示することができる。【００７４】
ところで、異常発生箇所に応じた避難経路の誘導計画は、病院、オフィス等の施設において策定できるものである。したがって、制御装置２０（中央制御部２３）が、この誘導計画を実行するためのソフトウェアとそれを実行するコンピュータによって構成されていれば、誘導計画の改善等にもソフトウェアの変更等で対応することができる。【００７５】
なお、本発明は、上述した実施例に限定されるものでなく、その趣旨を変更しない範囲で適宜変形して実施することができる。
【産業上の利用可能性】
【００７６】
本発明にかかる誘導経路表示システムは、工業的に製造等することができるから、またシステムとして販売し、施設で使用等することができるものであるから、本発明は経済的価値を有して、産業上利用することができる発明である。
【符号の説明】
【００７７】
１  誘導経路表示システム
１０−１、１０−２、〜１０−ｎ  誘導表示装置
１１ａ  プリント基板
１１ｂ−１、１１ｂ−２、〜１１ｂ−ｎ  発光素子
２０  制御装置
２５−１、２５−２、〜２５−ｎ  行き先入力装置
３０−１、３０−２、〜３０−ｎ  異常感知装置
４０ａ、４０ｂ、４１、〜４６  避難出口（非常口）
【図１】
2012073525.tif 000003
【図２】
2012073525.tif 000004
【図３】
2012073525.tif 000005
【図４】
2012073525.tif 000006
【図５】
2012073525.tif 000007
【図６】
2012073525.tif 000008
【図７】
2012073525.tif 000009
【手続補正書】
【提出日】平成23年7月29日(2011.7.29)
【手続補正１】
【補正対象書類名】特許請求の範囲
【補正対象項目名】全文
【補正方法】変更
【補正の内容】
【特許請求の範囲】
【請求項１】
施設を訪れた来訪者が訪問先を入力するための行き先入力装置と、
前記施設の所定の箇所に設置された、前記来訪者を誘導するための誘導表示装置、および異常を感知するための異常感知装置と、
制御装置とを有する誘導経路表示システムであって、
前記誘導表示装置は、フレキシブル・プリント基板によってなる線分であってその端部に電気的接続のためのコネクター部を備えた線分上にＳＭＤ型ＬＥＤ発光素子が複数個配置されてなり、前記線分の一端側から他端側へと点灯個所が移動することで視覚的な光の流れを生じることで、前記来訪者に誘導表示をすることができ、
前記制御装置は、前記異常感知装置が異常を感知しない通常時においては、前記行き先入力装置に入力された訪問先に応じて、所定の誘導表示装置に誘導表示をおこなって、来訪者にその行き先を表示することができ、前記異常感知装置が異常を感知した非常時においては、前記通常時における誘導表示が行われているときであってもこれを中止するとともに、少なくとも、異常を感知した前記異常感知装置の設置箇所、前記誘導表示装置の設置箇所、および避難出口の設置箇所に基づいて避難経路を決定し、前記誘導表示装置に避難経路を表示して、避難すべき方向を来訪者に対し表示することができることを特徴とする誘導経路表示システム。
【請求項２】
前記発光素子が複数の原色ＬＥＤを有しており、前記制御装置は、前記複数の原色ＬＥＤの発光を制御することで、前記発光素子の発光色を選択することができることを特徴とする請求項１に記載の誘導経路表示システム。
【請求項３】
前記可撓性を有するプリント基板の裏面が粘着性を有していることを特徴とする請求項１に記載の誘導経路表示システム。
【請求項４】
前記異常感知装置が発煙、高温、ガス漏れ、振動のいずれか一つまたは複数の異常を感知することができる請求項１に記載の誘導経路表示システム。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
施設を訪れた来訪者が訪問先を入力するための行き先入力装置と、
前記施設の所定の箇所に設置された、前記来訪者を誘導するための誘導表示装置、および異常を感知するための異常感知装置と、
制御装置とを有する誘導経路表示システムであって、
前記誘導表示装置は、可撓性を有するプリント基板によってなる線分であってその端部に電気的接続のためのコネクター部を備えた線分上にＳＭＤ型ＬＥＤ発光素子が複数個配置されてなり、前記線分の一端側から他端側へと点灯個所が移動することで視覚的な光の流れを生じさせ、1つの表示器で可逆方向表示が可能となることで、前記来訪者に誘導表示をすることができ、
前記制御装置は、前記異常感知装置が異常を感知しない通常時においては、前記行き先入力装置に入力された訪問先に応じて、所定の誘導表示装置に誘導表示をおこなって、来訪者にその行き先を表示することができ、前記異常感知装置が異常を感知した非常時においては、前記通常時における誘導表示が行われているときであってもこれを中止するとともに、少なくとも、異常を感知した前記異常感知装置の設置箇所、前記誘導表示装置の設置箇所、および避難出口の設置箇所に基づいて避難経路を決定し、前記誘導表示装置に避難経路を表示して、避難すべき方向を来訪者に対し表示することができることを特徴とする誘導経路表示システム。
【請求項２】
前記発光素子が複数の原色ＬＥＤを有しており、前記制御装置は、前記複数の原色ＬＥＤの発光を制御することで、前記発光素子の発光色を選択することができることを特徴とする請求項１に記載の誘導経路表示システム。
【請求項３】
前記可撓性を有するプリント基板の裏面が粘着性を有していることを特徴とする請求項１に記載の誘導経路表示システム。
【請求項４】
前記異常感知装置が発煙、高温、ガス漏れ、振動のいずれか一つまたは複数の異常を感知することができる請求項１に記載の誘導経路表示システム。
【国際調査報告】
2012073525.tif 000010
2012073525.tif 000011
2012073525.tif 000012
2012073525.tif 000013